(57)【要約】【課題】靴底だけに限らず、靴の甲被を構成する導電性裏材からも大気中への自然放電を可能にし、人体に帯電する静電気が、場所的制約がなく、知らず知らずの内に軽減できる静電気帯電防止靴を提供する。【解決手段】導電性裏材２で表甲被１を裏打ちして袋状に形成した甲被３に対し、導電性物質配合のポリウレタンソールを用い、ダイレクトポアリング製法により導電性靴底４を成型した。【選択図】図１
0003101597.tif 000002
【実用新案登録請求の範囲】
【請求項１】
導電性裏材で表甲被を裏打ちして袋状に形成した甲被に対し、導電性物質配合のポリウレタンソールを用い、ダイレクトポアリング製法により導電性靴底を成型したことを特徴とする静電気帯電防止靴。
【請求項２】
導電性靴底上に、導電性材料で形成した中敷を導電性接着剤で貼着したことを特徴とする請求項１記載の静電気帯電防止靴。
【考案の詳細な説明】
【技術分野】
【０００１】
本考案は人体に帯電した静電気を靴底部だけに限らず、甲被部分からも大気中に自然放電させて軽減する静電気帯電防止靴に関するものである。
【背景技術】
【０００２】
人体はいろいろな動作や帯電物体との接触、また、帯電物体からの静電誘導作用によって簡単に静電気を発生し、地面から絶縁されている場合は簡単に帯電する。  例えば、冬期などの乾燥した環境下においては、衣服などの摩擦によって静電気が発生し易く、この静電気は、自然放電が期待できないために、そのまま人体に帯電する。こうして人体に残留する静電気は、帯電した人の手などが鉄製のドアーや自動車のドアハンドルなどの導電性のある金属部位に触れた時に、一気に高電圧の下で放電して不快な静電気ショックを受けるたり、激しい痛みをともなうようなことがある。また、着こなしを台無しにする衣服のまとわりつきや毛羽立ち等の原因にもなっている。そこで、人体に帯電した静電気を靴底から地面（大地）にアースするような導電性を有する導電性靴が各種提案なされている。
【０００３】
この種の導電性靴の具体的な構成として、靴底を中底と表底とで構成し、表底をアウトソールとミッドソールの二層構造とする導電性靴において、アウトソール及び中底を導電性素材で形成するとともに、ミッドソールを非導電性素材で形成し、アウトソール上面と中底下面とを電気的に導通するように、ミッドソール内部に可撓性を有する導電体をコイル状テープ体に構成した導電体を埋設した導電性靴がある（例えば、特許文献１参照。）。
【０００４】
この構成の導電性靴を着用すると、中底、導電体、アウトソールの順序で常時、電気的導通路が足下に形成されるので、人体に帯電した静電気はアウトソールに通じて床面や地面への漏洩（放電）が可能となって人体帯電を解消するものである。
【０００５】
しかしながら、前記するような導電性靴を着用する人が行動する場所によっては、靴底からの放電をほとんど不能にするような所がある。例えば、室内のカーペット敷き床や絶縁性床上では床面への静電気の放電は期待できない。また、靴の着用者が履いている靴下の存在が、人体から靴底を経て外部へ通電するのを妨げるようなこともある。従って、人体に帯電した静電気を靴底を介してのみ放電させる導電性靴は、場所的にも放電効果にむらを生じるものである。
【特許文献１】実公平７−１５４４３号公報。
【考案の開示】
【考案が解決しようとする課題】
【０００６】
本考案は、このような状況に鑑みてなされたものであって、靴底だけに限らず、靴の甲被部分からも大気中への自然放電を可能にし、人体に帯電する静電気が、場所的制約がなく、知らず知らずの内に軽減できる静電気帯電防止靴を提供することを目的としたものである。
【課題を解決するための手段】
【０００７】
上記の目的を達成するための本考案に係る静電気帯電防止靴は、導電性裏材で表甲被を裏打ちして袋状に形成した甲被に対し、導電性物質配合のポリウレタンソールを用い、ダイレクトポアリング製法により導電性靴底を成型したことを特徴とする。
【０００８】
このように構成した本考案によれば、靴着用者の足裏からは、人体に帯電する静電気が、導電性物質配合のポリウレタンソールからなる導電性の靴底を通じて床面又は地面にアースされる。また、靴着用者の足の甲部は靴の甲被を構成する導電性裏材に接しているので、この導電性裏材を介して人体に帯電する静電気が大気中への自然放電が行われる結果、場所的制約がなく、人体に帯電する静電気を効果的に軽減することができる。
【０００９】
前記構成において、ポリウレタンソールからなる靴底上に、導電性材料で形成した中敷を導電性接着剤で貼着した構成にすると、人体に帯電する静電気の放電効果は変わりなく維持した上に、靴としてのクッション性が高められて履用感の向上が図られる。
【考案の効果】
【００１０】
本考案に係る静電気帯電防止靴によれば、人体に帯電する静電気が、導電性の靴底を通じて床面又は地面にアースされるとともに、靴の甲被を構成する導電性裏材からも静電気が大気中に自然放電されるので、場所的制約がなく、人体に帯電する静電気が効果的に軽減される。従って、静電気が一気に放電して生じる不快な静電気ショックを受けたり、激しい痛みをともなうようなことがなくなり、また、人体帯電が原因で発生する静電気災障害を防止することができる。
【考案を実施するための最良の形態】
【００１１】
本考案に係る静電気帯電防止靴の好ましい実施の形態を添付の図面に基づいて説明する。
（実施形態）
図１は本考案に係る静電気帯電防止靴の踏付け部の横断面図、図２は静電気帯電防止靴の斜視図である。
【００１２】
本考案に係る静電気帯電防止靴Ａは、図に示すように、表甲被１に導電性裏材２を裏打ちして足形の袋状に縫製された甲被３に、導電性物質配合のポリウレタンソールを用い、ダイレクトポアリング製法によって導電性の靴底４を成型したものである。実施の形態では、アウトソール４ａ上にミッドソール４ｂと中敷４ｃを順次に形成して靴底４を構成している。
【００１３】
靴底４の導電性化に当たって、ポリウレタンソールに配合される導電物質としては、カーボンブラック、金属粉等が使用される。
【００１４】
また、表甲被１に裏打ちされる導電性裏材２には、導電繊維を織り込んだ裏布が用いられる。この裏布として実施の形態では、カネボウ合繊株式会社製の導電繊維ベルトン（商品名）とポりエステル素材を交織・交編した静電気防止素材ドーデン（商品名）等を使用するのが好ましい。
【００１５】
また、各部の接着には導電性接着剤が使用される。この導電性接着剤としては、導電性粉末、導電性繊維などの導電物質をバインダー樹脂に混入し必要に応じて溶剤などで希釈してなる市販製品が使用される。
【００１６】
前記する構成において、表甲被１に裏打ちされる導電性裏材２としてドーデン（商品名）を使用する場合、裏材２に混入された導電繊維ベルトン（商品名）の制電効果は、主にコロナ放電によって電荷の中和と、電荷の移動と拡散によるものとされ、導電繊維は少量の混入であっても、極めて高い除電能力を発揮し、低湿度下の環境でも摩擦による帯電を抑制し、繊維上の静電気を除く高い除電能力を発揮して人体への静電気の帯電を防止する。
【００１７】
また、本考案に係る静電気帯電防止靴は、その実施品の帯電防止性能の試験結果からしても、ＪＩＳで定める安全靴としての電気抵抗基準値をクリアしたものである。
【産業上の利用可能性】
【００１８】
本考案に係る静電気帯電防止靴は、人体に帯電した静電気を靴底からの放電だけに限らず、靴の甲被部分からも大気中へ自然放電して軽減するので、人体帯電を嫌うあらゆる場所で着用して有用なものである。
【図面の簡単な説明】
【００１９】
【図１】本考案に係る静電気帯電防止靴の踏付け部の横断面図である。
【図２】静電気帯電防止靴の斜視図である。
【符号の説明】
【００２０】
１  表甲被
２  導電性裏材
３  甲被
４  靴底
４ａ  アウトソール
４ｂ  ミッドソール
４ｃ  中敷
Ａ  静電気帯電防止靴
【図１】
0003101597.tif 000003
【図２】
0003101597.tif 000004